(57)【要約】      （修正有）【課題】複数の機器に容易に設定が行える手段を提供する。【解決手段】設定装置は、複数のポートと、接続検出部と、判定部と、設定部と、動作開始命令部とを備える。複数のポートには、設定対象機器が有線接続される。接続検出部は、複数のポートのいずれかに機器が有線接続されたことを検出する。判定部は、接続検出部が複数のポートのいずれかに機器が有線接続されたことを検出すると機器が設定対象機器であるかどうかを判定する。設定部は、有線接続された機器が設定対象機器であると判定部により判定されるとその機器に設定を行う。動作開始命令部は、設定部による設定が終了すると、その機器に動作開始命令をその機器が有線接続されたポートを介して送信する。【選択図】図１
2014142887.tif 000002
【特許請求の範囲】
【請求項１】
設定対象機器が有線接続される複数のポートと、
前記複数のポートのいずれかに機器が有線接続されたことを検出する接続検出部と、
前記接続検出部が前記複数のポートのいずれかに機器が有線接続されたことを検出すると前記機器が前記設定対象機器であるかどうかを判定する判定部と、
有線接続された前記機器が前記設定対象機器であると前記判定部により判定されると前記機器に設定を行う設定部と、
前記設定部による設定が終了すると、前記機器に動作開始命令を前記機器が有線接続されたポートを介して送信する動作開始命令部と、
を備える設定装置。
【請求項２】
前記設定対象機器は、無線通信を行うことが可能であり、
前記動作開始命令部は、前記動作開始命令として、無線通信を行う命令を送信する請求項１に記載の設定装置。
【請求項３】
前記設定部による設定は、前記設定対象機器に動的に割り振られるアドレスを用いて前記設定装置と無線通信を行うための設定であり、
前記設定部は、前記機器による無線通信が行われたことを検出すると、前記機器に固定ＩＰアドレスを用いて無線通信を行う設定を行う請求項２に記載の設定装置。
【請求項４】
前記動作開始命令部は、前記動作開始命令として、前記設定装置から設定対象機器の表示部に表示命令を送信する請求項１に記載の設定装置。
【請求項５】
表示部を有し、
前記表示部に、前記複数のポートそれぞれについて、機器が有線接続されているかどうか及び有線接続された機器が前記設定対象機器であるかどうか及び前記設定部による設定が終了したかどうかを表示するステータス表示部を有する請求項１から４のいずれかに記載の設定装置。
【請求項６】
前記ステータス表示部は、前記設定部による設定がエラー状態で終了した場合に、その旨の表示を前記表示部に行うエラー表示部を有する請求項５に記載の設定装置。
【請求項７】
前記設定部による設定開始の後、所定の時間内に前記機器より応答がなければ、前記設定部による設定がエラー状態で終了したと判断するエラー判定部を有する請求項６に記載の設定装置。
【請求項８】
前記設定部による設定がエラー状態で終了した場合に、前記設定を再開する再開部を有する請求項６または７に記載の設定装置。
【請求項９】
設定対象機器が有線接続される複数のポートを有する設定装置に、
前記複数のポートのいずれかに機器が有線接続されたことを検出させ、
前記複数のポートのいずれかに機器が有線接続されたことが検出されると前記機器が前記設定対象機器であるかどうかを判定させ、
有線接続された前記機器が前記設定対象機器であると判定されると前記機器に設定を行わせ、
前記設定が終了すると、前記機器に動作開始命令を前記機器が有線接続されたポートを介して送信させるための設定プログラム。
【発明の詳細な説明】
【技術分野】
【０００１】
本発明は、機器に設定を行う装置などに関する。特に複数の機器に対して設定を行う装置などに関する。
【背景技術】
【０００２】
様々な機器が通信機能を有するようになってきている。例えば、オフィス等においては、プリンター、ファクシミリ装置、コピアなどの機器が通信機能を有し、オフィス等に設置されたパーソナルコンピュータやスマートフォンなどと通信を行うことができる。
【０００３】
一般に通信を行うためには通信のための設定を行う必要があり、パーソナルコンピュータやスマートフォンなどと異なり、ユーザーインターフェースが不十分な機器に対して設定を行うことは困難が伴う場合がある。
【０００４】
このために、機器の導入時に機器をＵＳＢ（Ｕｎｉｖｅｒｓａｌ  Ｓｅｒｉａｌ  Ｂｕｓ）を用いてパーソナルコンピュータに接続を行い設定が行われる場合がある。
【先行技術文献】
【特許文献】
【０００５】
【特許文献１】特開２０１２−１４１９９２号公報
【特許文献２】特開２００６−１５５５０９号公報
【発明の概要】
【発明が解決しようとする課題】
【０００６】
しかし、オフィスを新たに開設する場合などには、一度に大量の機器が導入され、それらの機器全てを個別に設定を行うと、時間がかかる上に煩雑でもある。そこで、本発明は、複数の機器に容易に設定が行える手段を提供することを目的の一つとする。
【課題を解決するための手段】
【０００７】
本発明の一実施形態として、複数のポートと、接続検出部と、判定部と、設定部と、動作開始命令部とを備える設定装置を提供する。複数のポートには、設定対象機器が有線接続される。接続検出部は、複数のポートのいずれかに機器が有線接続されたことを検出する。判定部は、接続検出部が複数のポートのいずれかに機器が有線接続されたことを検出すると機器が設定対象機器であるかどうかを判定する。設定部は、有線接続された機器が設定対象機器であると判定部により判定されるとその機器に設定を行う。動作開始命令部は、設定部による設定が終了すると、その機器に動作開始命令をその機器が有線接続されたポートを介して送信する。
【０００８】
本発明の一実施形態として、設定対象機器が有線接続される複数のポートを有する設定装置に、前記複数のポートのいずれかに機器が有線接続されたことを検出させ、前記複数のポートのいずれかに機器が有線接続されたことが検出されると前記機器が前記設定対象機器であるかどうかを判定させ、有線接続された前記機器が前記設定対象機器であると判定されると前記機器に設定を行わせ、前記設定が終了すると、前記機器に動作開始命令を前記機器が有線接続されたポートを介して送信させるための設定プログラムを提供する。
【発明の効果】
【０００９】
本発明によれば、機器の設定を容易に行うことができる。特に複数の機器を本発明の一実施形態に係る設定装置に同時に接続し、複数の機器に対する設定を行うことができる。
【図面の簡単な説明】
【００１０】
【図１】（ａ）本発明の一実施形態に係る設定装置の機能ブロック図、（ｂ）本発明の一実施形態に係る設定装置を実現するための計算機の機能ブロック図
【図２】本発明の一実施形態に係る設定装置の機能ブロック図
【図３】本発明の一実施形態に係る設定装置の処理のフローチャート
【図４】本発明の一実施形態に係る設定装置による表示の一例図
【図５】本発明の一実施形態に係る設定装置の処理のフローチャート
【図６】本発明の一実施形態に係る設定装置の機能ブロック図
【図７】本発明の一実施形態に係る設定装置による表示の一例図
【図８】本発明の一実施形態に係る設定装置による表示の一例図
【図９】本発明の一実施形態に係る設定装置の機能ブロック図
【図１０】本発明の一実施形態に係る設定装置の機能ブロック図
【図１１】本発明の一実施形態に係る設定装置の処理のフローチャート
【図１２】本発明の一実施形態に係る設定装置による表示の一例図
【発明を実施するための形態】
【００１１】
以下に本発明を実施するための形態について図面を参照しながら説明を行う。なお、本発明は以下の説明に限定されるものではない。本発明は以下の説明の内容に種々の変形を行っても実施することが可能である。
【００１２】
図１（ａ）は、本発明の一実施形態に係る設定装置の機能ブロック図を示す。設定装置１００は、複数のポート（ポート１（１０１）、ポート２（１０２）、…、ポートＮ（１０３））と、接続検出部１０４と、判定部１０５と、設定部１０６と、動作開始命令部１０７とを備える。
【００１３】
複数のポートには、設定対象機器が有線接続される。設定対象機器とは、設定装置１００により設定を行う対象である機器である。例えば、プリンター、コピア、ファクシミリ、音楽再生装置、測定装置などである。図１に示すように、ポート１（１０１）、ポート２（１０２）、…、ポートＮ（１０３）のそれぞれに、機器１（１１１）、機器２（１１２）、…、機器Ｎ（１１３）を有線接続することができる。なお、設定装置１００の備える全てのポートに機器を接続する必要はなく、一部のポートにだけ機器を有線接続してもよい。有線接続の手段としては、例えばＵＳＢ（Ｕｎｉｖｅｒｓａｌ  Ｓｅｒｉａｌ  Ｂｕｓ）を用いることができる。ただし、ＵＳＢに限定されることはなく、ＲＳ２３２Ｃ、ＲＳ４２２やあるいはＩＥＥＥ  １２８４準拠の手段など種々のものを使用することができる。
【００１４】
接続検出部１０４は、複数のポートのいずれかに機器が有線接続されたことを検出する。接続検出部１０４は、例えばポートを構成する信号線の電圧の変動を検出することによって、ポートに機器が有線接続されたことを検出することができる。
【００１５】
判定部１０５は、接続検出部１０４が複数のポートのいずれかに機器が有線接続されたことを検出するとその機器が設定対象機器であるかどうかを判定する。判定部１０５は、例えばポートに接続された機器と有線接続を介して通信を行い、その通信の結果に基づいて、機器が設定対象機器であるかどうかを判定することができる。この場合には、機器のシリアル番号や属性情報の要求を機器に対して有線接続を介して送信し、返信されるシリアル番号や属性情報を受信し、受信されたシリアル番号や属性情報に基づいて判定をすることができる。
【００１６】
また、判定部１０５は、機器が設定対象機器である場合に、その機器に既に設定が行われたかどうかを判定し、既に設定が行われていれば設定対象機器でないと判定してもよい。例えば、判定部１０５は、機器に設定内容の返信を要求し、機器より返信された設定内容に基づいて判定を行う。これにより、既に設定された機器に繰り返し設定を行うことを防止することができる。
【００１７】
設定部１０６は、有線接続された機器が設定対象機器であると判定部１０６により判定されると、その設定対象機器である機器に設定を行う。例えば、設定対象機器がネットワークに接続可能な機器であれば、設定部１０６は、機器をネットワークに接続するためのその機器のＩＰアドレス、ネットマスク、ゲートウェイのＩＰアドレス、ＤＮＳのＩＰアドレスなどの情報を有線接続を介して送信し、設定対象機器にこれらの情報を設定する。なお、設定対象機器のＩＰアドレスは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）などにより動的に割り当てる設定も可能である。
【００１８】
動作開始命令部１０７は、設定部１０６による設定対象機器である機器に対する設定が終了すると、その設定対象機器に動作開始命令をその機器が有線接続されたポートを介して送信する。すなわち、動作開始命令部１０７は、有線接続を介して設定対象機器に動作開始命令を送信する。動作開始命令は、設定対象機器の動作を開始させるための命令である。この動作は、通常は設定部１０６による設定の内容に依存する動作である。
【００１９】
例えば、設定対象機器がネットワークに接続可能な機器であれば、動作開始命令により、そのネットワークを介した通信を行う。特にネットワークは上述のように無線通信によりネットワークであってもよい。この場合は、図２に示すように、動作開始命令により、設定対象機器が無線アクセスポイント２０１に接続を行うことができる。無線アクセスポイント２０１に接続するためのＳＳＩＤや認証情報は、設定部１０６により設定対象機器に設定することができる。
【００２０】
また、無線アクセスポイント２０１は、設定装置１００が接続されているネットワーク２０２に接続がされていてもよい。動作開始命令により、機器が無線アクセスポイント２０１に接続を行い、無線通信を開始したことを設定装置１００が検出すると設定が正常に終了したことを検出することができる。例えば、設定対象機器が無線アクセスポイント２０１及びネットワーク２０２を介して設定装置１００に情報（設定完了情報）を送信することもできる。設定装置１００は、設定完了情報を受信することによりその設定対象機器に対する設定が正常に終了したことを検出することができる。
【００２１】
また、設定対象機器がＩＰアドレスなどをＤＨＣＰなどを利用して動的に取得する設定となっている場合には、設定対象機器が無線通信を開始したことが検出された後に設定部１０６は、その機器に固定のＩＰアドレスを設定してもよい。これにより、設定対象機器を実際の動作環境で動作させた場合に障害が発生した場合、固定のＩＰアドレスを用いて障害の原因となった設定対象機器を特定することが可能となる。
【００２２】
なお、動作開始命令は、上記のものに限定されることはなく、例えば設定対象機器がそのステータスをＬＥＤや液晶ディスプレイなどの表示部に表示する場合には、動作開始命令を受信した旨や動作を開始したステータスにある旨の表示を行ってもよい。表示部の表示により、設定装置１００の操作者は、その設定対象機器の設定が終了したことを知ることができる。設定対象機器の設定が終了したことを知った操作者はその設定対象機器とポートとの有線接続を解除して別の設定対象機器をそのポートに有線接続し、別の設定対象機器の設定を行うことができる。
【００２３】
なお、設定装置１００は、複数のポートを備えるので、複数のポートの一部またはすべてに複数の設定対象機器が有線接続された場合に、複数の設定対象機器に対して並列に設定を行うことができるのが好ましい。また、後に図４を参照して説明するように、設定装置１００は、ディスプレイに、どのポートに機器が接続されているかどうかの状態や、ポートに接続された機器に設定が終了したかどうかなどを表示するのが好ましい。
【００２４】
本発明の一実施形態に係る設定装置１００は、計算機を用いて実現することができる。図１（ｂ）は、計算機１５０の機能ブロック図を示す。計算機１５０は、ＣＰＵ（Ｃｅｎｔｒａｌ  Ｐｒｏｃｅｓｓｉｎｇ  Ｕｎｉｔ）１５１と、主記憶１５２と、二次記憶１５３と、ディスプレイ１５４と、入出力デバイス１５５と、通信Ｉ／Ｆ（Ｉｎｔｅｒｆａｃｅ）１５６とがバス１５７により接続された構成を有している。
【００２５】
二次記憶１５３には、計算機１５０を設定装置１００として動作させるためのプログラムが記憶され、主記憶１５２にロードされてＣＰＵ１５１により実行が可能となる。通信Ｉ／Ｆ１５６は、機器が有線接続されるポートを実現し、入力デバイス１５５は、キーボードやマウスなどに相当し、ディプレイ１５４は、どのポートに機器が接続されているかどうかの状態や、ポートに接続された機器に設定が終了したかどうかなどを表示する表示部などに相当する。
【００２６】
図３は、本実施形態に係る設定装置１００の処理のフローチャートを示す。このフローチャートは、計算機１５０を設定装置１００として動作させるためのプログラムの動作を示す。
【００２７】
ステップＳ３０１の処理としてタイマーを起動する。タイマーを起動する目的の一つは、全ての機器の設定が終了したことを検出し、処理を自動的に終了させることである。ステップＳ３０２の処理として、接続検出部１０４により、ポートに機器が有線接続されたことを検出する。検出された結果は例えばポートのリスト（ポートリスト）として管理される。
【００２８】
図４は、ステップＳ３０２の処理などを行っているときに設定装置１００がディスプレイ１５４に表示する画面の一例を示す。画面４００の例えば右上部分にプログレスバー４０１が表示され、ポートリストの更新状況の進行状況が表示される。また、機器が接続され、ポートリストに管理されているポートについては、列４０２の「接続」の部分の表示に接続がされた旨の表示がされる。また、後に説明するステップＳ３０５の処理が終了したポートについては、列４０３の「ステータス」の部分に例えば「設定完了」という表示がされ、後に説明するステップＳ３０５の処理が行われているポートについては、列４０３の「ステータス」の部分に例えば「設定中」の表示がされる。このような画面により、ポートの有線接続の有無、設定の進行状況についての情報を分かり易く表示することができる。
【００２９】
次に、ステップＳ３０３の処理として、判定部１０５によりポートに有線接続された機器が設定対象機器であり、設定可能であるかどうかを判断する。もし、設定可能でなければステップＳ３０１の処理に戻り、設定可能であれば、次のステップＳ３０４の処理に移る。
【００３０】
ステップＳ３０４の処理として、その機器の設定がおこなわれていないかどうかを判断し、もし、設定が行われていなければ、ステップＳ３０５に処理に移り、設定が既に行われていれば、ステップＳ３０６の処理に移る。
【００３１】
ステップＳ３０５の処理として、機器に設定を行い、その後ステップＳ３０１の処理に戻る。また、ステップＳ３０６の処理として、ステップＳ３０１の処理により起動されたタイマーにより、一定時間が経過したかどうかを判断する。一定時間が経過していれば、全ての機器の設定が終了したとして、処理全体を終了し、そうでなければ、ステップＳ３０１の処理に戻る。
【００３２】
図５は、図３のステップＳ３０５における設定の処理のフローチャートである。図５は、主に設定部１０６の処理のフローチャートである。ステップＳ５０１の処理において、設定が未だ行われていない機器、すなわち未設定機器、に有線接続を介して接続を行う。ステップＳ５０２の処理として、未設定機器への接続が成功したかどうかを判定する。もし、接続に成功しなければ、ステップＳ５０３へ処理を移し、例えば接続が成功しなかったポートの情報をエラーリストに追加し、設定の処理を終了する。例えばエラーリストに情報が追加されたポートについては、図４に示す画面などにそのポートに障害が発生している可能性がある旨の表示を行うことができる。
【００３３】
なお、ステップＳ３０３の処理時に設定対象機器であるかどうかを判定するために、機器と有線接続を介して接続を行う場合がある。ステップＳ３０３での接続が維持されていれば、ステップＳ５０２で新たに接続を行う必要はなく、ステップＳ５０１及びＳ５０２の処理を行わずにステップＳ５０４の処理に移ることができる。
【００３４】
ステップＳ５０４の処理として、設定処理を行う。例えば、設定部１０６により、ポートに有線接続されている機器に設定のための情報を送信する。ステップＳ５０５の処理として、設定処理が成功したかどうかを判定する。もし、設定が成功しなければステップＳ５０６をスキップし、設定が成功すればステップＳ５０６へ処理を写しし、動作開始命令を機器に送信する。その後、ステップＳ５０７の処理として、有線接続の切断処理を行い、機器とポートとの有線接続を解除できるようにする。
【００３５】
なお、ステップＳ５０５の処理において設定処理が成功しなければ、図４に示す画面の一例の列４０３に設定処理が成功しなかった旨の表示を行ってもよい。
【００３６】
また、設定処理が成功したかどうかの判定は、ステップＳ５０４の設定処理のために機器に情報の送信を開始してから所定の時間内に機器より応答があるかどうかにより判定してもよい。例えば、設定部１０６が設定情報を機器に送信し、その送信に対するアクノレッジが機器より返信されれば設定処理が成功し、そうでなければ設定処理が成功しなかったと判定する。
【００３７】
図６は、本発明の一実施形態に係る設定装置がステータス表示部６０１とエラー表示部６０２とを有する場合の機能ブロック図を示す。ステータス表示部６０１は、図４に示す画面の一例のように、複数のポートそれぞれについて、機器が有線接続されているかどうか及び有線接続された機器が設定対象機器であるかどうか及び設定部１０６による設定が終了したかどうかを表示する。
【００３８】
また、エラー表示部６０２は、設定部１０６による設定がエラー状態で終了した場合、例えば、ステップＳ５０２の処理において接続に成功しなかったと判定された場合あるいはステップＳ５０５の処理において設定が成功しなかったと判定された場合に、その旨の表示をディスプレイ１５４に行う。
【００３９】
ステップＳ５０４における設定処理においては、機器ごとに異なる設定が行えるように、設定を行う情報を設定装置１００の操作者が入力するための画面をディスプレイ１５４に表示してもよい。例えば、図７に示すように、ポート２に有線接続された機器に対する設定の情報を入力する画面を表示する。図７は、機器が無線アクセスポイントに接続するための設定情報を入力する画面７００を示す。欄７０１には、他の機器と区別するための機器の通称を入力し、欄７０２には、機器に設定するべきＩＰアドレスを入力し、欄７０３には無線アクセスポイントのＳＳＩＤ（Ｓｅｒｖｉｃｅ  Ｓｅｔ  Ｉｄｅｎｔｉｆｉｅｒ）を入力し、欄７０４には認証情報を入力する。
【００４０】
なお、全ての機器が同じ無線アクセスポイントに接続する場合には、ＳＳＩＤ及び認証情報を全ての機器に対して同じとすることができる。この場合には、設定装置１００の動作の開始時に図８に一例を示す画面８００を表示し、欄８０１に共通のＳＳＩＤを入力し、欄８０２に共通の認証情報を入力するようにしてもよい。ＩＰアドレス、ネットマスク、ゲートウェイのＩＰアドレスはＤＨＣＰによって設定するようにすれば、個々の機器にＩＰアドレスなどを設定することを省略することができる。
【００４１】
また、上述したように、設定処理が成功したかどうかの判定を、ステップＳ５０４の設定処理が開始してから所定の時間内に機器より応答があるかどうかにより判定する場合の設定装置１００の機能ブロック図を図９に示す。エラー判定部９０１は、設定処理が成功したかどうかの判定を、ステップＳ５０４の設定処理が開始してから所定の時間内に機器より応答があるかどうかにより判定する。
【００４２】
また、図５に示すフローチャートの設定の処理がエラー状態で終了した場合には、設定を再開するようにすることも可能である。図１０は、この場合の設定装置１００の機能ブロック図を示す。再開部１００１は、設定１０６による設定がエラー状態で終了した場合に、設定を再開する部である。例えば、所定の時間が経過してから設定を再開したり、機器とポートとの有線接続を一旦解除されてから再び有線接続がされたことを検出すると設定を再開したりすることができる。
【００４３】
本発明の一実施形態に係る設定装置においては、複数の機器を同時に接続し、設定を並行して行うことができ、多数の機器の設定を容易に行うことができる。この場合、設定に誤りがあると多数の機器にその誤った設定がされてしまう可能性がある。
【００４４】
そこで、本発明の一実施形態においては、設定が終了した機器の設定の表示を随時要求することができるようにしてもよい。そこで、設定装置１００において、図１１にフローチャートを示す処理を並列して実行するようにしてもよい。例えば、図３及び図５に示すフローチャートの処理を実行するスレッドとは別のスレッドとして図１１にフローチャートを示す処理を実行させてもよい。
【００４５】
ステップＳ１１０１の処理として、設定表示の要求がされるまで待つ。設定表示の要求は、例えば、図４に示す画面のポートの名称が表示されている部分をマウスによりクリックなどすることにより行うことができる。この場合には、クリックされた名称のポートに有線接続がされている機器の設定表示の要求がされたと解釈することができる。
【００４６】
設定表示の要求がされると、ステップＳ１１０２の処理に移り、現在実行されている設定処理を中止する。これは、誤った設定情報が入力された場合に、誤った設定がされてしまう機器の数が増加しないようにするためである。
【００４７】
ステップＳ１１０３の処理として、設定表示の要求がされた機器を有線接続し、ステップＳ１１０４の処理として、機器から設定情報を読み出す。
【００４８】
ステップＳ１１０５として、読み出された設定情報を表示する。図１２は、ステップＳ１１０５の処理における表示の一例を示す。表示１２００には、図４において設定完了となっているポート１に有線接続されている機器の設定が表示されている。すなわち、欄１２０１にポート１に有線接続されている機器に設定された通称が「ＡＢＣ」として表示され、欄１２０１にその機器に設定されたＩＰアドレスが「１９２．１６８．０．１２３」として表示され、欄１２０３にその機器に設定されたＳＳＩＤが「１２３４５６７８９」として表示され、欄１２０４にその機器に設定された認証情報が「ｓｔｕｖｗｈｉｊｋｌ３２１」として表示されている。設定装置１００の利用者はこのような画面により既に設定が終了した機器の設定内容を確認することができる。
【００４９】
図１２に示す表示がクローズされるなどすると、ステップＳ１１０６へ処理を移行し、ステップＳ１１０２の処理として中止された設定処理が再開する。なお、設定内容を確認した結果、正しくない設定がされた場合には、正しい設定を行うために、ポートに有線接続がされ設定が終了した機器についての設定を再度行うようにするのが好ましい。
【符号の説明】
【００５０】
１００  設定装置、１０１  ポート１、１０２  ポート２、２０３  ポートＮ、１０４  接続検出部、１０５  判定部、１０６  設定部、１０７  動作開始命令部、１５０  計算機、１５１  ＣＰＵ、１５２  主記憶、１５３  二次記憶、１５４  ディスプレイ、１５５  入力デバイス、１５６  通信Ｉ／Ｆ、１５７  バス
【図１】
2014142887.tif 000003
【図２】
2014142887.tif 000004
【図３】
2014142887.tif 000005
【図４】
2014142887.tif 000006
【図５】
2014142887.tif 000007
【図６】
2014142887.tif 000008
【図７】
2014142887.tif 000009
【図８】
2014142887.tif 000010
【図９】
2014142887.tif 000011
【図１０】
2014142887.tif 000012
【図１１】
2014142887.tif 000013
【図１２】
2014142887.tif 000014